(57)【要約】【課題】情報記録媒体からの再生信号に複雑な演算を行わずに適切なタイミングでデータを検出して情報再生できるようにする。【解決手段】光ディスク１からの再生信号を非同期の一定周波数（ｆ１Ｈｚ）のクロックでデジタル信号に変換してサンプル値として出力し、切換スイッチ６でサンプル値の間に（ｎ−１）個の０データを挿入し、ＬＰＦ７でサンプリング周波数ｆ２Ｈｚのデジタル信号に変換し、しきい値交差判定部８で信号データの中からしきい値を交差する信号データを検索し、データ検出部９でｔをデータ周期で除算し、最も近い整数値に従って時間間隔ｔ内のデータを検出し、レベル判定部１０でその検出したデータを２値化（０と１）し、同期検出部１１で同期信号を検出し、復号部１２で誤り訂正などの復号を行って再生データを出力する。【選択図】　　　図１
2004013940.tif 000002
【特許請求の範囲】
【請求項１】
情報記録媒体から再生された再生信号を所定の周期でサンプリングするサンプリング手段と、該サンプリング手段によってサンプリングされたサンプル値の間に０データを挿入するゼロデータ挿入手段と、該ゼロデータ挿入手段によって０データが挿入されたサンプル値のサンプリング周波数を変換するサンプリング周波数変換手段と、該サンプリング周波数変換手段によってサンプリング周波数が変換されたサンプル値に基づいて前記情報記録媒体に記録された情報の再生データを出力する再生手段とを備えたことを特徴とする情報再生装置。
【請求項２】
請求項１記載の情報再生装置において、前記再生手段が、前記サンプリング周波数変換手段によってサンプリング周波数が変換されたサンプル値の内からしきい値に近い値を基準にして前記情報記録媒体に記録された情報の再生データを出力する手段であることを特徴とする情報再生装置。
【請求項３】
請求項１記載の情報再生装置において、前記再生手段が、前記サンプリング周波数変換手段によってサンプリング周波数が変換されたサンプル値の内からしきい値を間に挟む連続する２個のサンプル値を検出し、該検出された２個のサンプル値のいずれか一方をしきい値に近い値とし、該値を基準にして前記情報記録媒体に記録された情報の再生データを出力する手段であることを特徴とする情報再生装置。
【請求項４】
請求項１記載の情報再生装置において、前記サンプリング手段によってサンプリングされたサンプル値を波形等化する波形等化手段を設けたことを特徴とする情報再生装置。
【請求項５】
請求項１記載の情報再生装置において、前記再生手段が、前記サンプリング周波数変換手段によってサンプリング周波数が変換されたサンプル値の内の極大値又は極小値となる値を基準にして前記情報記録媒体に記録された情報の再生データを出力する手段であることを特徴とする情報再生装置。
【請求項６】
請求項１記載の情報再生装置において、前記サンプリング周波数変換手段によってサンプリング周波数が変換されたサンプル値から同期信号を検出する同期信号検出手段と、該同期信号検出手段によって検出された同期信号を含む所定量のサンプル値を蓄積する蓄積手段とを設けたことを特徴とする情報再生装置。
【請求項７】
請求項６記載の情報再生装置において、前記蓄積手段に蓄積されたサンプル値から所定のデータパターンを検出するデータパターン検出手段と、該データパターン検出手段によって検出された所定のデータパターンに基づいて前記蓄積手段に蓄積されたサンプル値の変動を補正する変動補正手段とを設けたことを特徴とする情報再生装置。
【請求項８】
請求項１記載の情報再生装置において、前記サンプリング周波数変換手段が非巡回型ディジタルフィルタであることを特徴とする情報再生装置。
【請求項９】
請求項８記載の情報再生装置において、前記非巡回型ディジタルフィルタがパイプライン構造であることを特徴とする情報再生装置。
【請求項１０】
請求項８記載の情報再生装置において、前記非巡回型ディジタルフィルタの乗算器がＲＯＭテーブルであることを特徴とする情報再生装置。
【発明の詳細な説明】
【０００１】
【発明の属する技術分野】
この発明は、光ディスク等の情報記録媒体からデータを再生する情報再生装置に関する。
【０００２】
【従来の技術】
従来、光ディスクからの再生信号を一定周波数の非同期クロックで動作するＡＤ変換器でサンプリングし、そのサンプリングされたサンプル値から近似曲線を算出する際、従来のアナログ回路によるＰＬＬ回路をデジタル処理に置き換え、得られた近似曲線上の値から数値計算でデータに同期したクロックタイミングを算出し、近似曲線上の値を再生データとして検出する情報再生装置（例えば、特開平８−１６１８２９号公報参照）があった。
【０００３】
【発明が解決しようとする課題】
しかしながら、上述した情報再生装置では、情報記録媒体に記録された情報を再生する際の近似曲線の算出方法やデジタルＰＬＬ処理方法が複雑なので、再生信号から簡単な処理によって適切なタイミングでデータを検出して情報再生することができないという問題があった。
この発明は上記の課題を解決するためになされたものであり、情報記録媒体からの再生信号に複雑な演算を行わずに適切なタイミングでデータを検出して情報再生できるようにすることを目的とする。
【０００４】
【課題を解決するための手段】
この発明は上記の目的を達成するため、次に（１）〜（１０）の情報再生装置を提供する。
（１）情報記録媒体から再生された再生信号を所定の周期でサンプリングするサンプリング手段と、そのサンプリング手段によってサンプリングされたサンプル値の間に０データを挿入するゼロデータ挿入手段と、そのゼロデータ挿入手段によって０データが挿入されたサンプル値のサンプリング周波数を変換するサンプリング周波数変換手段と、そのサンプリング周波数変換手段によってサンプリング周波数が変換されたサンプル値に基づいて上記情報記録媒体に記録された情報の再生データを出力する再生手段を備えた情報再生装置。
【０００５】
（２）（１）の情報再生装置において、上記再生手段を、上記サンプリング周波数変換手段によってサンプリング周波数が変換されたサンプル値の内からしきい値に近い値を基準にして上記情報記録媒体に記録された情報の再生データを出力する手段にした情報再生装置。
（３）（１）の情報再生装置において、上記再生手段を、上記サンプリング周波数変換手段によってサンプリング周波数が変換されたサンプル値の内からしきい値を間に挟む連続する２個のサンプル値を検出し、その検出された２個のサンプル値のいずれか一方をしきい値に近い値とし、その値を基準にして上記情報記録媒体に記録された情報の再生データを出力する手段にした情報再生装置。
【０００６】
（４）（１）の情報再生装置において、上記サンプリング手段によってサンプリングされたサンプル値を波形等化する波形等化手段を設けた情報再生装置。
（５）（１）の情報再生装置において、上記再生手段を、上記サンプリング周波数変換手段によってサンプリング周波数が変換されたサンプル値の内の極大値又は極小値となる値を基準にして上記情報記録媒体に記録された情報の再生データを出力する手段にした情報再生装置。
（６）（１）の情報再生装置において、上記サンプリング周波数変換手段によってサンプリング周波数が変換されたサンプル値から同期信号を検出する同期信号検出手段と、その同期信号検出手段によって検出された同期信号を含む所定量のサンプル値を蓄積する蓄積手段を設けた情報再生装置。
【０００７】
（７）（６）の情報再生装置において、上記蓄積手段に蓄積されたサンプル値から所定のデータパターンを検出するデータパターン検出手段と、そのデータパターン検出手段によって検出された所定のデータパターンに基づいて上記蓄積手段に蓄積されたサンプル値の変動を補正する変動補正手段を設けた情報再生装置。
（８）（１）の情報再生装置において、上記サンプリング周波数変換手段を非巡回型ディジタルフィルタにした情報再生装置。
（９）（８）の情報再生装置において、上記非巡回型ディジタルフィルタをパイプライン構造にした情報再生装置。
（１０）（８）の情報再生装置において、上記非巡回型ディジタルフィルタの乗算器をＲＯＭテーブルにした情報再生装置。
【０００８】
【発明の実施の形態】
以下、この発明の実施形態を図面に基づいて具体的に説明する。
＜この発明の第１実施形態＞
図１は、この発明の第１実施形態である情報再生装置の構成を示すブロック図である。
この第１実施形態の情報再生装置は、ＣＤ−Ｒ，ＣＤ−ＲＷ，ＤＶＤ等の光ディスク（情報記録媒体）１に記録された２値データ（２値情報）を光学的にセンサ２で読み取り、その再生信号を出力する。その再生信号をアンプ３によって増幅し、雑音除去フィルタ４によって不要なノイズを除去する。その後、ＡＤ変換部（ＡＤ変換回路，ＡＤ変換器）５において雑音除去フィルタ４から入力したアナログ信号を非同期の一定周波数（ｆ１Ｈｚ）のクロックに基づいてデジタル信号に変換し、サンプル値として出力する。すなわち、上記センサ２，アンプ３，雑音除去フィルタ４，ＡＤ変換部５が、この発明の請求項１に係るサンプリング手段の機能を果たす。
【０００９】
さらに、ｆ１Ｈｚのクロック信号に同期したｆ１Ｈｚのｎ倍（ｎ：整数）の周波数（ｆ２Ｈｚ：ｆ２＝ｎ・ｆ１）で動作する切換スイッチ６によってＡＤ変換部５から出力されたサンプル値の間に（ｎ−１）個の０データを挿入する。
すなわち、この切換スイッチ６がこの発明の請求項１に係るゼロデータ挿入手段の機能を果たす。
その後、ローパスフィルタ（ＬＰＦ）７を通過させることによってサンプリング周波数ｆ１Ｈｚのデジタル信号をサンプリング周波数ｆ２Ｈｚのデジタル信号に変換する。
すなわち、このＬＰＦ７が、この発明の請求項１に係るサンプリング周波数変換手段の機能を果たす。
【００１０】
上記サンプリング周波数の変換の原理は、サンプリングされたデータ列のサンプリングレートを整数倍の高いサンプリングレートに変換するソフトウェア機能（数値解析プログラムのコマンド：ｉｎｔｅｒｐ）により、基本的にオリジナルのデータ列にゼロを挿入してからローパスフィルタを通して、オリジナルのデータ列を補間する公知技術（例えば、数値解析プログラムの「ＭＡＴＬＡＢ　Ｓｉｇｎａｌ　Ｐｒｏｃｅｓｓｉｎｇ　Ｔｏｏｌｂｏｘ　Ｕｓｅｒ’ｓ　ＧｕｉｄｅＶｅｒｓｉｏｎ４　Ｔｈｅ　ＭＡＴＨ　ＷＯＲＫＳ　Ｉｎｃ．」のｐ．６−２２５〜ｐ．６−２２７を参照）を用いるとよい。なお、公知技術では与えられたオリジナルデータに対して、逐次フィルタを設計するようにしているが、光ディスクの再生信号の特性（周波数成分や信号の規則性等）は殆ど変化しないので、ローパスフィルタの係数は固定値でよい。
【００１１】
通常、光ディスクの再生信号には、光ディスクの回転むら等によるデータ周期の変動（ジッタ）がある。例えば、再生信号における１データ周期が４０ｎｓｅｃである時に、±２ｎｓｅｃの変動が発生する場合等がある。
従来のフェーズロックループ（ＰＬＬ）回路は信号に同期するために、再生信号がしきい値を交差するタイミングを検出し、それまで出力していたクロック信号との位相を比較して、その位相差が常に一定になるようにクロック周波数を上下させるフィードバック制御を行っている。そのフィードバック制御の応答は、データ周期の瞬時の変動に対して緩やかであるため、ＰＬＬ回路が出力するクロック周波数はジッタにあまり影響されないほぼ一定のデータ周期の平均値に対応した周波数になっている。つまり、再生信号におけるデータ周期の瞬時の変動とは無関係に概ね同期がとれている一定周期のクロックで再生信号中のデータを検出している。したがって、データを検出する時はジッタに相当する時間変動分の非同期性がある。
【００１２】
この第１実施形態の情報再生装置は、そのジッタに相当する時間変動分の非同期性の点に着目し、ジッタに相当する時間変動を１周期とする非同期のクロックによってサンプリングされたデータ列からＰＬＬ回路を使わずにデータを検出するものである。つまり、上記ｆ１Ｈｚは再生信号に含まれる信号成分の最高周波数の２倍以上とし、上記のｆ２Ｈｚをｆ１Ｈｚの整数倍であって、再生信号のジッタを１周期とする周波数に設定する。上記の例のように、１データ周期が４０ｎｓｅｃでジッタが±２ｎｓｅｃである場合のｆ１とｆ２は次の様に設定する。
例えば、データの最小反転間隔が３Ｔ（Ｔ＝データの１周期＝４０ｎｓｅｃ）である場合は、信号に含まれる最高周波数成分の周期は６Ｔ（＝２４０ｎｓｅｃ）であるため、最高周波数は約４．２ＭＨｚである。その２倍以上の周波数としてｆ１＝１０ＭＨｚとする。また、ジッタが±２ｎｓｅｃである事から、時間変動の周期は４ｎｓｅｃとし、ｆ２＝２５０ＭＨｚとする。つまり、サンプリング周波数を２５倍に変換する。
【００１３】
次に、図１に示したローパスフィルタ（ＬＰＦ）７から出力された信号データ（サンプリング周波数＝ｆ２Ｈｚ）から再生データを検出する処理について説明する。
図２は、図１に示すＬＰＦ７から出力された信号データの一例の略図である。
まず、しきい値交差判定部（しきい値交差判定回路）８において、信号データ（サンプル値）の中からしきい値を交差する信号データ（サンプル値）を検索する。すなわち、このしきい値交差判定部８がこの発明の請求項３に係る一部の機能を果たし、ＬＰＦ７によってサンプリング周波数が変換されたサンプル値の内からしきい値を間に挟む連続する２個のサンプル値を検出する。
【００１４】
例えば、１個１個の信号データをしきい値と比較しながら、その大小関係が逆転した時の信号データをしきい値を交差する信号データとする。または、しきい値交差判定部８において、連続する２点の信号データを同時にしきい値と比較し、両者の信号データの値の間にしきい値が存在する場合、その２点のどちらか一方をしきい値を交差する信号データとしてもよい。このように、しきい値に近いデータを検出する方法として、連続する２個のデータの値の間にしきい値がある事を検出し、上記２個のデータのどちらか一方をしきい値に近いデータとしているので、効率良くしきい値に近いデータを検出できる。
【００１５】
さらに、次のしきい値を交差する信号データを検索する。こうして得られたしきい値を交差する２点の信号データの間隔（時間）をｔとする。そして、データ検出部（データ検出回路）９においてｔをデータ周期で除算し、最も近い整数値に従って時間間隔ｔ内のデータを検出する。すなわち、このデータ検出部９がこの発明の請求項２に係る再生手段の一部の機能を果たし、サンプル値の内からしきい値に近い値を基準にしてデータを検出する。
例えば、ｔをデータ周期で除算した最も近い整数値が３であれば、図２に示すように、しきい値を交差する信号データからｔ／６，ｔ／６＋ｔ／３の時間に近い信号データを検出データとする。
このようにして、データ検出部９によって、しきい値を交差する時間間隔に対応したデータ数のデータを等間隔で検出する。このようにすれば、ローパスフィルタの出力データの内のしきい値に近いデータを基準にしてデータを検出するので、光ディスクに２値データが記録されている場合の情報再生が容易に行える。
【００１６】
その後、レベル判定部（レベル判定回路）１０によって上記検出したデータを２値化（０と１）し、同期検出部（同期検出回路）１１で同期信号を検出し、復号部（復号回路）１２によって誤り訂正などの復号を行って再生データを出力する。
すなわち、上記しきい値交差判定部８，データ検出部９，レベル判定部１０，同期検出部１１，復号部１２がこの発明の請求項１，２，３に係る再生手段の機能を果たす。
このようにして、所定周期のサンプル値の間に０データを挿入して、ローパスフィルタを通したデータに基づいて記録情報を再生するので、複雑な近似曲線の演算やＰＬＬ回路のデジタル処理を不要にし、簡単なデジタル処理によって光ディスクの情報を再生できる。
【００１７】
＜この発明の第２実施形態＞
図３は、この発明の第２実施形態である情報再生装置の構成を示すブロック図であり、図１と共通する部分には同一符号を付してその説明を省略する。
この第２実施形態の情報再生装置では、上記第１実施形態の情報再生装置において、ＡＤ変換部５の前段に波形等化部（波形等化回路）１３を挿入しており、その波形等化回路１３によって再生信号の符号間干渉を除去している。すなわち、この波形等化回路１３がこの発明の請求項４に係る波形等化手段の機能を果たす。その結果、しきい値を交差する連続する２点の信号データの時間間隔がデータ周期の整数倍に近くなり、データ検出する時のタイミングの精度が向上する。
このように、光ディスクから再生された再生信号を所定の周期でサンプリングするＡＤ変換部の前段に、再生信号を波形等化する波形等化部を設ければ、再生信号の符号間干渉を除去してデータを検出する時のタイミング精度が向上する。
上記第１実施形態と第２実施形態の情報再生装置は、２値データが記録された光ディスク１を再生する装置である。
【００１８】
次に、多値データが記録された光ディスクを再生する情報再生装置の実施形態について説明する。
図４は、多値データが記録された光ディスクからの再生信号の一例を示す波形図である。図５は、クロックマークにおけるピークを示す波形図である。
図４には、８値（０，１，２，３，４，５，６，７）記録の再生信号を示しており、多値データを検出する時の時間基準になるクロックマークと呼ぶデータが所定の間隔で挿入されている。また、所定量のデータ毎に同期信号が付加されている。次にクロックマークと同期信号のデータパターンの一例を示す。
クロックマーク＝「００７００」
同期信号＝「０００００７７７７７」
上記クロックマークにおける中央の「７」の信号の極大値（ピーク）がデータを検出する時間の基準になる。図５に示すように、連続する２個のクロックマークのピークを検出し、その間にある多値データを等間隔の時間で検出すればよいデータ構成になっている。
【００１９】
＜この発明の第３実施形態＞
図６は、この発明の第３実施形態である情報再生装置の構成を示すブロック図である。
この情報再生装置は、上記のような多値データを記録した光ディスク２１から情報を再生するものであり、センサ２２，アンプ２３，雑音除去フィルタ２４，ＡＤ変換部（ＡＤ変換回路）２５，切換スイッチ２６，ＬＰＦ２７による再生信号からサンプリングしてサンプリング周波数ｆ１Ｈｚでアナログ−デジタル（ＡＤ）変換し、サンプリング周波数をｆ２Ｈｚに変換する処理は、第１実施形態の情報再生装置と同じである。
その後、同期検出部（同期検出回路）２８で同期信号を検出し、ピーク検出部（ピーク検出回路）２９では同期信号の位置からクロックマークのピーク値の位置を予測して、予測位置の前後の所定個数のデータからクロックマークのピーク（極大値）を検出する。
【００２０】
すなわち、このピーク検出部２９がこの発明の請求項５に係る再生手段の一部の機能を果たし、サンプリング周波数が変換されたサンプル値の内の極大値又は極小値となる値を検出する。
データ検出部（データ検出回路）３０では、連続する２個のクロックマークのピークからその間の時間間隔をデータ数で等間隔に分割し、分割点に近い多値データを検出した多値データとする。
その後、波形等化部（波形等化回路）３１によって波形等化を行った後、レベル判定部（レベル判定回路）３２によって多値データのレベル判定を行い、多値−２値変換部（多値−２値変換回路）３３によって多値データを２値データに変換し、復号部（復号回路）３４によって誤り訂正などの復号を行って再生データを出力する。
【００２１】
このようにして、ローパスフィルタの出力データの内の極大値又は極小値となるデータを基準にしてデータを検出するので、光ディスクに極大値又は極小値となるデータを基準にしてデータを検出するデータフォーマットの多値データが記録されている場合の情報再生が容易に行える。
また、上記の処理では、クロックマークのピーク（極大値）をデータ検出の時間の基準にした場合を説明したが、再生信号の極性を反転した信号を使用してクロックマークの極小値をデータ検出の時間の基準にしてもよい。
すなわち、上記同期検出部２８，ピーク検出部２９，データ検出部３０，波形等化部３１，レベル判定部３２，多値−２値変換部３３，復号部３４がこの発明の請求項５に係る再生手段の機能を果たす。
【００２２】
次に、多値データが記録された光ディスクを再生する他の実施形態の情報再生装置について説明する。
＜この発明の第４実施形態＞
図７は、この発明の第４実施形態である情報再生装置の構成を示すブロック図である。
この情報再生装置は、上記第３実施形態の情報再生装置と同様に、センサ４２，アンプ４３，雑音除去フィルタ４４，ＡＤ変換部（ＡＤ変換回路）４５，切換スイッチ４６，ＬＰＦ４７によって、再生信号からサンプリングしてサンプリング周波数ｆ１Ｈｚでアナログ−デジタル（ＡＤ）変換し、サンプリング周波数をｆ２Ｈｚに変換する処理を行う。
【００２３】
その後、同期検出回路４８で同期信号を検出し、その検出した同期信号から次の同期信号までの信号データをバッファメモリ４９に入力して保持する。すなわち、この同期検出回路４８がこの発明の請求項６に係るサンプリング周波数が変換されたサンプル値から同期信号を検出する同期信号検出手段の機能を果たし、バッファメモリ４９がこの発明の請求項６に係る上記検出された同期信号を含む所定量のサンプル値を蓄積する蓄積手段の機能を果たす。
このようにして、ローパスフィルタの出力データから同期信号を検出し、その検出された同期信号を含む所定量のサンプル値を蓄積するので、２個の同期信号を基準にしてデータを検出するタイミングを算出することができ、データを検出する時のタイミング精度が向上する。
【００２４】
図８は、図７に示すバッファメモリ４９のメモリ構成を示すブロック図である。図９は、図８に示すバッファメモリ４９の各メモリに入力される信号データを示す波形図である。図９の信号データでは、説明を簡単にするためにクロックマークの図示を省略した。
バッファメモリ４９には、図８に示すように、メモリ（図中「メモリａ」と記す）６１とメモリ（図中「メモリｂ」と記す）６２の２個のメモリがあり、信号データを交互に入力してそれぞれ蓄積する。一方のメモリ（例えばメモリａ）にデータを入力している間に、切換スイッチ６３を切り換えて他方のメモリ（例えばメモリｂ）に入力して蓄積された信号データを出力する。
それぞれのメモリ６１と６２には、図９に示すように、同期信号で挟まれたデータが入力される。そのデータの区切りとなる同期信号は両方のメモリ６１と６２に重複して入力される。
【００２５】
上述した第３実施形態の情報再生装置では、１個の同期信号を検出した後、その同期信号の位置からクロックマークのピークを予測したが、この第４実施形態の情報再生装置では、バッファメモリ４９上の２個の同期信号からクロックマークの位置を予測する。
そして、ピーク検出部（ピーク検出回路）５０で、バッファメモリ４９内の２個の同期信号の位置からその間にあるクロックマークの位置を予測し、その予測位置の前後の所定個数のデータからクロックマークのピークを検出する。
さらに、データ検出部（データ検出回路）５１では、連続する２個のクロックマークのピークから、その間の時間間隔をデータ数で等間隔に分割し、その分割点に近い多値データを検出した多値データとする。
このように、バッファメモリ４９に同期信号を含めて信号データを入力し、多値データを検出すると、２個の同期信号の間のクロックマークの位置を予測するので、クロックマークの予測精度が向上し、多値データ検出の信頼性が上がる。
【００２６】
その後、ＡＧＣ５２で同期信号における多値データを使用してＡＧＣ（Ａｕｔｏｍａｔｉｃ　Ｇａｉｎ　Ｃｏｎｔｒｏｌ）処理をデジタル処理で行う。このＡＧＣ処理は、再生信号の振幅の変動を補正するための処理であり、再生信号の振幅を一定にする効果がある。
次に、図１０及び図１１によってこの第４実施形態の情報再生装置におけるＡＧＣ処理を説明する。
バッファメモリ４９内の信号データを図１０に示す。ここでも、クロックマークの図示は省略した。
【００２７】
同期信号の「０００００７７７７７」のデータパターンの前半の「０００００」と後半の「７７７７７」は比較的安定した値になるので、それぞれの平均値をＡ，Ｂ，Ｃ，Ｄとすると、再生信号の変動によりＡ＝Ｃ，Ｂ＝Ｄになっていないことが多い。そこで、ＡとＢを基準にして、図１１に示すように補正する。
まず、図１０のデータ部分をＡ，Ｂ，Ｃ，Ｄを頂点とする四辺形と見なし、これを図１１のように長方形になるように、図１０における時刻ｔの信号データ値Ｘを図１１におけるＹに変換する。以下の数１に変換式を示す。同期信号の間の時間間隔をＴとする。
【００２８】
【数１】
Ｙ＝｛（Ａ−Ｂ）ＴＸ＋（ＢＣ−ＡＤ）ｔ｝／｛（Ａ−Ｂ）（Ｔ−ｔ）＋（Ｃ−Ｄ）ｔ｝
【００２９】
この第４実施形態の情報再生装置では、同期信号のデータを利用してＡＧＣ処理を行ったが、同期信号以外にＡＧＣ用のデータを挿入してもよい。
すなわち、この発明の請求項７に係るデータパターン検出手段と変動補正手段を設け、データパターン検出手段によってバッファメモリ４９に蓄積された信号データ（サンプル値）から所定のデータパターンを検出し、変動補正手段によってその検出された所定のデータパターンに基づいてバッファメモリ４９に蓄積されたサンプル値の変動を補正するとよい。
このようにすれば、再生信号の振幅変動を補正する、いわゆるＡＧＣ処理が行えるので、再生信号が安定する。
その後、ＡＧＣ５２で上記変換式に基づく演算処理よってＡＧＣ処理を行った後、波形等化部（波形等化回路）５３で波形等化を行って、レベル判定部（レベル判定回路）５４で多値データのレベル判定を行い、多値−２値変換部（多値−２値変換回路）５５によって多値データを２値データに変換し、復号部（復号回路）５６で誤り訂正などの復号を行って再生データを出力する。
【００３０】
次に、サンプリング周波数ｆ１ＨｚでＡＤ変換したデータをサンプリング周波数ｆ２Ｈｚに変換する時に使用するＬＰＦの実施形態を示す。
図１２は、サンプリング周波数ｆ１ＨｚでＡＤ変換したデータをサンプリング周波数ｆ２Ｈｚに変換する時に使用するＬＰＦの構成を示すブロック図である。
このＬＰＦは、複数の入力データ順番に保持するレジスタ７１ａ〜７１ｎと、各レジスタ７１ａ〜７１ｎの出力データにフィルタ係数を乗算する乗算器７２ａ〜７２ｎと、各乗算器７２ａ〜７２ｎの乗算結果を加算する加算器７３から構成される非巡回型ディジタルフィルタ（ＦＩＲフィルタ：Ｆｉｎｉｔｅ　Ｉｍｐｕｌｓｅ　Ｒｅｓｐｏｎｓｅ　ｆｉｌｔｅｒ）であり、所定の特性を実現するものであれば形式は任意であるが、図示したＦＩＲフィルタが安定性の点で望ましい。このように、ローパスフィルタをＦＩＲフィルタにすれば、構成が簡素であり、動作が安定する。
【００３１】
また、図１２に示した構成では、乗算と加算の処理を１クロック周期で実行する必要があるが、乗算器７２ａ〜７２ｎと加算器７３にレジスタを挿入してパイプライン構造にすると、パイプラインの段数分だけ出力データの出力タイミングが遅れるが、クロックを高速にすることができ、ＦＩＲフィルタの高速動作が可能になる（この発明の請求項９に係る機能の説明）。
さらに、乗算器７２ａ〜７２ｎの一方の入力であるフィルタ係数は固定であるので、乗算器でなくても、入力データをアドレスとし、アドレスの値（入力データ）にフィルタ係数を乗算したデータを記憶させたメモリ（Ｒｅａｄ　ＯｎｌｙＭｅｍｏｒｙ：ＲＯＭ）によるＲＯＭテーブルでも実現できる。このように、ＦＩＲフィルタの乗算器をＲＯＭテーブルにすれば、回路構成を簡素化することができる（この発明の請求項１０に係る機能の説明）。
【００３２】
【発明の効果】
以上説明してきたように、この発明の情報再生装置によれば、情報記録媒体からの再生信号に複雑な演算を行わずに適切なタイミングでデータを検出して情報再生することができる。
【図面の簡単な説明】
【図１】この発明の第１実施形態である情報再生装置の構成を示すブロック図である。
【図２】図１に示すＬＰＦ７から出力された信号データの一例の略図である。
【図３】この発明の第２実施形態である情報再生装置の構成を示すブロック図である。
【図４】多値データが記録された光ディスクからの再生信号の一例を示す波形図である。
【図５】クロックマークにおけるピークを示す波形図である。
【図６】この発明の第３実施形態である情報再生装置の構成を示すブロック図である。
【図７】この発明の第４実施形態である情報再生装置の構成を示すブロック図である。
【図８】図７に示すバッファメモリ４９のメモリ構成を示すブロック図である。
【図９】図８に示すバッファメモリ４９の各メモリに入力される信号データを示す波形図である。
【図１０】この発明の第４実施形態の情報再生装置におけるＡＧＣ処理の説明に供する波形図である。
【図１１】同じくこの発明の第４実施形態の情報再生装置におけるＡＧＣ処理の説明に供する波形図である。
【図１２】サンプリング周波数ｆ１ＨｚでＡＤ変換したデータをサンプリング周波数ｆ２Ｈｚに変換する時に使用するＬＰＦの構成を示すブロック図である。
【符号の説明】
１，２１，４１：光ディスク　　２，２２，４２：センサ
３，２３，４３：アンプ　　　　４，２４，４４：雑音除去フィルタ
５，２５，４５：ＡＤ変換部　　６，２６，４６，６３：切換スイッチ
７，２７，４７：ＬＰＦ　　　　８：しきい値交差判定部
９，３０，５１：データ検出部　１０，３２，５４：レベル判定部
１１，２８，４８：同期検出部　１２，３４，５６：復号部
１３，３１，５３：波形等化部　２９，５０：ピーク検出部
３３，５５：多値−２値変換部　５２：ＡＧＣ
６１，６２：メモリ　　　　　　７１ａ〜７１ｎ：レジスタ
７２ａ〜７２ｎ：乗算器　　　　７３：加算器
【図１】
2004013940.tif 000003
【図２】
2004013940.tif 000004
【図３】
2004013940.tif 000005
【図４】
2004013940.tif 000006
【図５】
2004013940.tif 000007
【図６】
2004013940.tif 000008
【図７】
2004013940.tif 000009
【図８】
2004013940.tif 000010
【図９】
2004013940.tif 000011
【図１０】
2004013940.tif 000012
【図１１】
2004013940.tif 000013
【図１２】
2004013940.tif 000014